【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
少なくとも７０重量％のエステル化デヒドロアビエチン酸及びエステル化ジヒドロアビエチン酸を含むロジンエステルであって、
前記エステル化デヒドロアビエチン酸対前記エステル化ジヒドロアビエチン酸の重量比が１．３：１〜１：２．６の範囲である、
前記ロジンエステル。
【請求項２】
前記ロジンエステルは、１６０℃の温度で３時間加熱したときに５以下のガードナーカラーを保持する、請求項１に記載のロジンエステル。
【請求項３】
（ａ）一種以上のエチレン性不飽和モノマーから誘導されたポリマー、または一種以上のエチレン性不飽和モノマーから誘導された二種類以上のポリマーのブレンド、及び
（ｂ）請求項１または２に記載のロジンエステル
を含む組成物。
【請求項４】
前記組成物の全重量を基準として、前記ロジンエステルが総量の２０重量％〜５０重量％の範囲で存在する、請求項３に記載の組成物。
【請求項５】
前記ポリマー対前記エステル化デヒドロアビエチン酸及び前記エステル化ジヒドロアビエチン酸の全重量の比率は、１：２．２〜４．３：１である、請求項３または４に記載の組成物。
【請求項６】
（ａ）粗ロジンエステルを提供するためにロジンをアルコールでエステル化する工程；及び
（ｂ）ロジンエステルを形成するために前記粗ロジンエステルを水素化する工程
を含むロジンエステルの製造方法。
【請求項７】
前記エステル化する工程（ａ）の前に前記ロジンを不均化することをさらに含む、請求項６に記載の方法。
【請求項８】
（ａ）４５重量％〜７５重量％の油、及び
（ｂ）２５重量％〜５５重量％の請求項１または２に記載のロジンエステル
を含む組成物。 
【手続補正２】
【補正対象書類名】明細書
【補正対象項目名】００９７
【補正方法】変更
【補正の内容】
【００９７】
他に記載しない限り、本明細書中で使用されるすべての技術的及び科学的用語は、開示された発明が属する当業者によって通常理解されるものと同一の意味を有する。本明細書中に引用した刊行物及び引用された資料は、明確に参照として含まれる。
［発明の態様］
［１］少なくとも７０重量％のエステル化デヒドロアビエチン酸及びエステル化ジヒドロアビエチン酸を含むロジンエステルであって、
エステル化デヒドロアビエチン酸対エステル化ジヒドロアビエチン酸の重量比が１．３：１〜１：２．６の範囲である、
前記ロジンエステル。
［２］前記ロジンエステルは、トールオイルロジン、ガムロジン、ウッドロジン、またはその組み合わせから誘導される、［１］に記載のロジンエステル。
［３］前記ロジンエステルは、トールオイルロジンから誘導される、［１］または［２］に記載のロジンエステル。
［４］前記ロジンエステルは、少なくとも８０重量％のエステル化デヒドロアビエチン酸及びエステル化ジヒドロアビエチン酸を含む、［１］〜［３］のいずれか１に記載のロジンエステル。
［５］エステル化デヒドロアビエチン酸対エステル化ジヒドロアビエチン酸の重量比が１．３：１〜１：１．６の範囲である、［１］〜［４］のいずれか１に記載のロジンエステル。
［６］エステル化デヒドロアビエチン酸対エステル化ジヒドロアビエチン酸の重量比が１．２：１〜１：１．５の範囲である、［１］〜［５］のいずれか１に記載のロジンエステル。
［７］前記ロジンエステルは、エチレングリコール、プロピレングリコール、ジエチレングリコール、トリエチレングリコール、テトラエチレングリコール、トリメチレングリコール、グリセロール、トリメチロールプロパン、トリメチロールエタン、ペンタエリトリトール、マンニトール、及びその組み合わせからなる群から選択される多価アルコールから誘導される、［１］〜［６］のいずれか１に記載のロジンエステル。
［８］前記ロジンエステルは、４以下のガードナーカラーを有する、［１］〜［７］のいずれか１に記載のロジンエステル。
［９］前記ロジンエステルは、１．５以下のガードナーカラーを有する、［１］〜［８］のいずれか１に記載のロジンエステル。
［１０］前記ロジンエステルは、１６０℃の温度で３時間加熱したときに５以下のガードナーカラーを保持する、［１］〜［９］のいずれか１に記載のロジンエステル。
［１１］前記ロジンエステルは、４００ｐｐｍ未満の硫黄を含む、［１］〜［１０］のいずれか１に記載のロジンエステル。
［１２］（ａ）一種以上のエチレン性不飽和モノマーから誘導されたポリマー、または一種以上のエチレン性不飽和モノマーから誘導された二種類以上のポリマーのブレンド、及び
（ｂ）［１］〜［１１］のいずれか１に定義されたロジンエステル
を含む組成物。
［１３］前記ポリマーは、コポリマーである、［１２］に記載の組成物。
［１４］前記ポリマーは、ブロックコポリマーである、［１２］または［１３］に記載の組成物。
［１５］前記一種以上のエチレン性不飽和モノマーは、スチレン、エチレン、ブタジエン、イソプレン、（メタ）アクリレートモノマー、酢酸ビニル、ビニルエステルモノマー、及びその組み合わせからなる群から選択される、［１２］〜［１４］のいずれか１に記載の組成物。
［１６］前記組成物は、ホットメルト接着剤である、［１２］〜［１５］のいずれか１に記載の組成物。
［１７］前記ポリマーは、酢酸ビニルから誘導された、［１２］〜［１６］のいずれか１に記載の組成物。
［１８］前記ポリマーは、エチレン酢酸ビニル共重合体である、［１２］〜［１７］のいずれか１に記載の組成物。
［１９］前記ポリマーは、１０重量％〜４０重量％の間の酢酸ビニルから誘導された、［１２］〜［１８］のいずれか１に記載の組成物。
［２０］前記ポリマーは、ポリ酢酸ビニルである、［１２］または［１５］〜［１７］のいずれか１に記載の組成物。
［２１］前記ポリマーは、エチレン及びｎ−ブチルアクリレートの共重合体である、［１２］〜［１６］のいずれか１に記載の組成物。
［２２］前記ポリマーは、スチレン及び一種以上のイソプレンもしくはブタジエンの共重合体である、［１２］〜［１６］のいずれか１に記載の組成物。
［２３］前記組成物の全重量を基準として、前記ポリマーは、総量の２０重量％〜６０重量％の範囲で存在する、［１２］〜［２２］のいずれか１に記載の組成物。
［２４］前記組成物の全重量を基準として、前記ポリマーが総量の３０重量％〜４０重量％の範囲で存在する、［１２］〜［２３］のいずれか１に記載の組成物。
［２５］前記組成物の全重量を基準として、前記ロジンエステルが総量の２０重量％〜５０重量％の範囲で存在する、［１２］〜［２４］のいずれか１に記載の組成物。
［２６］前記組成物の全重量を基準として、前記ロジンエステルが総量の３０重量％〜４０重量％の範囲で存在する、［１２］〜［２５］のいずれか１に記載の組成物。
［２７］前記ポリマー対エステル化デヒドロアビエチン酸及びエステル化ジヒドロアビエチン酸の全重量の比率は、１：２．２〜４．３：１である、［１２］〜［２６］のいずれか１に記載の組成物。
［２８］前記ポリマー対エステル化デヒドロアビエチン酸及びエステル化ジヒドロアビエチン酸の全重量の比率は、１：１．１〜２：１である、［１２］〜［２７］のいずれか１に記載の組成物。
［２９］さらに蝋を含む、［１２］〜［２８］のいずれか１に記載の組成物。
［３０］さらに酸化防止剤を含む、［１２］〜［２９］のいずれか１に記載の組成物。
［３１］前記組成物は、１７７℃の温度に９６時間加熱したときに、５以下のガードナーカラー単位の変化を示す、［１２］〜［３０］のいずれか１に記載の組成物。
［３２］前記組成物は、１７７℃の温度に９６時間加熱したときに、５％未満の粘度変化を示す、［１２］〜［３１］のいずれか１に記載の組成物。
［３３］前記ロジンエステルは、一種以上のロジンエステルを含む、［１２］〜［３２］のいずれか１に記載の組成物。
［３４］（ａ）粗ロジンエステルを提供するためにロジンをアルコールでエステル化する工程；及び
（ｂ）ロジンエステルを形成するために粗ロジンエステルを水素化する工程
を含むロジンエステルの製造方法。
［３５］前記ロジンは、トールオイルロジン、ガムロジン、ウッドロジン、またはその組み合わせからなる群から選択される、［３４］に記載の方法。
［３６］前記ロジンは、トールオイルロジンである、［３５］に記載の方法。
［３７］前記粗ロジンエステルの全重量を基準として、工程（ｂ）において水素化される前記粗ロジンエステルにおけるエステル化されたロジン酸の濃度が７５重量％以上である、［３４］〜［３６］のいずれか１に記載の方法。
［３８］前記粗ロジンエステルは、実質的に溶媒を含まない、［３４］〜［３７］のいずれか１に記載の方法。
［３９］工程（ｂ）において水素化される前記粗ロジンエステルが２５℃で１，０００ｃＰ以下の粘度を有する、［３７］または［３８］に記載の方法。
［４０］前記アルコールは、多価アルコールを含む、［３４］〜［３９］のいずれか１に記載の方法。
［４１］前記多価アルコールは、エチレングリコール、プロピレングリコール、ジエチレングリコール、トリエチレングリコール、テトラエチレングリコール、トリメチレングリコール、グリセロール、トリメチロールプロパン、トリメチロールエタン、ペンタエリトリトール、マンニトール、及びその組み合わせからなる群から選択される、［４０］に記載の方法。
［４２］工程（ｂ）は、前記粗ロジンエステルと水素化触媒を接触させることを含む、［３４］〜［４１］のいずれか１に記載の方法。
［４３］前記粗ロジンエステルの全重量を基準として、前記水素化触媒が総量の０．２５重量％〜５重量％の範囲で存在する、［４２］に記載の方法。
［４４］前記水素化触媒は、カーボン担体パラジウムを含む、［４２］または［４３］に記載の方法。
［４５］工程（ｂ）は、高温下、高圧下、またはその組み合わせで実施される、［３４］〜［４４］のいずれか１に記載の方法。
［４６］工程（ｂ）は、１５０℃〜３００℃の範囲の温度で実施される、［３４］〜［４５］のいずれか１に記載の方法。
［４７］工程（ｂ）は、１８０℃〜２４０℃の範囲の温度で実施される、［３４］〜［４６］のいずれか１に記載の方法。
［４８］工程（ｂ）は、２５０ｐｓｉ〜２０００ｐｓｉの範囲の圧力で実施される、［３４］〜［４７］のいずれか１に記載の方法。
［４９］前記ロジンエステルは、少なくとも７０重量％のエステル化デヒドロアビエチン酸及びエステル化ジヒドロアビエチン酸を含み、エステル化デヒドロアビエチン酸対エステル化ジヒドロアビエチン酸の重量比が１．３：１〜１：２．６の範囲である、［３４］〜［４８］のいずれか１に記載の方法。
［５０］前記ロジンエステルの製造方法は、実質的にエステル化する工程（ａ）と水素化する工程（ｂ）を含む、［３４］〜［４９］のいずれか１に記載の方法。
［５１］前記ロジンエステルの製造方法は、エステル化する工程（ａ）と水素化する工程（ｂ）を含む、［３４］〜［４９］のいずれか１に記載の方法。
［５２］前記エステル化する工程（ａ）の前に前記ロジンを不均化することをさらに含む、［３４］〜［４９］のいずれか１に記載の方法。
［５３］前記ロジンを不均化する工程は、前記ロジンと不均化触媒を接触させることを含む、［５２］に記載の方法。
［５４］前記不均化触媒は、フェノールスルフィド不均化触媒を含む、［５３］に記載の方法。
［５５］前記ロジンを不均化する工程は、高温下で実施される、［５２］〜［５４］のいずれか１に記載の方法。
［５６］前記ロジンエステルの製造方法は、単一の水素化工程を含む、［３４］〜［５５］のいずれか１に記載の方法。
［５７］（ａ）４５重量％〜７５重量％の油、及び
（ｂ）２５重量％〜５５重量％の［１］〜［１１］のいずれか１によって定義されたロジンエステル
を含む組成物。
［５８］ロジンエステルを含む組成物であって、
前記ロジンエステルは少なくとも７０重量％のエステル化デヒドロアビエチン酸及びエステル化ジヒドロアビエチン酸を含み、
前記エステル化デヒドロアビエチン酸対前記エステル化ジヒドロアビエチン酸の重量比が１．３：１〜１：２．６の範囲である、
前記組成物。
［５９］前記ロジンエステルは、トールオイルロジン、ガムロジン、ウッドロジン、またはその組み合わせから誘導される、［５８］に記載の組成物。
［６０］前記ロジンエステルは、トールオイルロジンから誘導される、［５８］または［５９］に記載の組成物。
［６１］前記ロジンエステルは、少なくとも８０重量％のエステル化デヒドロアビエチン酸及びエステル化ジヒドロアビエチン酸を含む、［５８］〜［６０］のいずれか１に記載の組成物。
［６２］前記エステル化デヒドロアビエチン酸対前記エステル化ジヒドロアビエチン酸の重量比は、１．３：１〜１：１．６の範囲である、［５８］〜［６１］のいずれか１に記載の組成物。
［６３］前記エステル化デヒドロアビエチン酸対前記エステル化ジヒドロアビエチン酸の重量比は、１．２：１〜１：１．５の範囲である、［５８］〜［６２］のいずれか１に記載の組成物。
［６４］前記ロジンエステルは、エチレングリコール、プロピレングリコール、ジエチレングリコール、トリエチレングリコール、テトラエチレングリコール、トリメチレングリコール、グリセロール、トリメチロールプロパン、トリメチロールエタン、ペンタエリトリトール、マンニトール、及びその組み合わせからなる群から選択される多価アルコールから誘導される、［５８］〜［６３］のいずれか１に記載の組成物。
［６５］前記ロジンエステルは、４以下のガードナーカラーを有する、［５８］〜［６４］のいずれか１に記載の組成物。
［６６］前記ロジンエステルは、１．５以下のガードナーカラーを有する、［５８］〜［６５］のいずれか１に記載の組成物。
［６７］前記ロジンエステルは、１６０℃の温度に３時間加熱した時に５以下のガードナーカラーを保持する、［５８］〜［６６］のいずれか１に記載の組成物。
［６８］前記ロジンエステルは、４００ｐｐｍ未満の硫黄を含む、［５８］〜［６７］のいずれか１に記載の組成物。
［６９］さらに一種以上のエチレン性不飽和モノマーから誘導されたポリマー、または一種以上のエチレン性不飽和モノマーから誘導された二種類以上のポリマーのブレンドを含む、［５８］〜［６８］のいずれか１に記載の組成物。
［７０］前記ポリマーは、コポリマーである、［６９］に記載の組成物。
［７１］前記ポリマーは、ブロックコポリマーである、［６９］または［７０］に記載の組成物。
［７２］前記一種以上のエチレン性不飽和モノマーは、スチレン、エチレン、ブタジエン、イソプレン、（メタ）アクリレートモノマー、酢酸ビニル、ビニルエステルモノマー、及びその組み合わせからなる群から選択される、［６９］〜［７１］のいずれか１に記載の組成物。
［７３］前記組成物は、ホットメルト接着剤である、［６９］〜［７２］のいずれか１に記載の組成物。
［７４］前記ポリマーは、酢酸ビニルから誘導される、［６９］〜［７３］のいずれか１に記載の組成物。
［７５］前記ポリマーは、エチレン酢酸ビニル共重合体である、［６９］〜［７４］のいずれか１に記載の組成物。
［７６］前記ポリマーは、１０重量％〜４０重量％の間の酢酸ビニルから誘導された、［６９］〜［７５］のいずれか１に記載の組成物。
［７７］前記ポリマーは、ポリ酢酸ビニルである、［６９］または［７３］〜［７４］のいずれか１に記載の組成物。
［７８］前記ポリマーは、エチレン及びｎ−ブチルアクリレートの共重合体である、［６９］〜［７３］のいずれか１に記載の組成物。
［７９］前記ポリマーは、スチレン及び一種以上のイソプレンもしくはブタジエンの共重合体である、［６９］〜［７３］のいずれか１に記載の組成物。
［８０］前記組成物の全重量を基準として、前記ポリマーが総量の２０重量％〜６０重量％の範囲で存在する、［６９］〜［７９］のいずれか１に記載の組成物。
［８１］前記組成物の全重量を基準として、前記ポリマーが総量の３０重量％〜４０重量％の範囲で存在する、［６９］〜［８０］のいずれか１に記載の組成物。
［８２］前記組成物の全重量を基準として、前記ロジンエステルが総量の２０重量％〜５５重量％の範囲で存在する、［５８］〜［８１］のいずれか１に記載の組成物。
［８３］前記組成物の全重量を基準として、前記ロジンエステルが総量の３０重量％〜４０重量％の範囲で存在する、［５８］〜［８２］のいずれか１に記載の組成物。
［８４］前記ポリマー対エステル化デヒドロアビエチン酸及びエステル化ジヒドロアビエチン酸の全重量の比率は、１：２．２〜４．３：１である、［６９］〜［８３］のいずれか１に記載の組成物。
［８５］前記ポリマー対エステル化デヒドロアビエチン酸及びエステル化ジヒドロアビエチン酸の全重量の比率は、１：１．１〜２：１である、［６９］〜［８４］のいずれか１に記載の組成物。
［８６］さらに蝋を含む、［５８］〜［８５］のいずれか１に記載の組成物。
［８７］さらに酸化防止剤を含む、［５８］〜［８６］のいずれか１に記載の組成物。
［８８］前記組成物は、１７７℃の温度に９６時間加熱したときに、５以下のガードナーカラー単位の変化を示す、［５８］〜［８７］のいずれか１に記載の組成物。
［８９］前記組成物は、１７７℃の温度に９６時間加熱したときに、５％未満の粘度変化を示す、［５８］〜［８８］のいずれか１に記載の組成物。
［９０］前記組成物は、一種以上のロジンエステルを含む、［５８］〜［８９］のいずれか１に記載の組成物。
［９１］（ａ）４５重量％〜７５重量％の油、及び
（ｂ）２５重量％〜５５重量％のロジンエステル
を含む［５８］〜［９０］のいずれか１に記載の組成物。
［９２］前記組成物は、ロジンエステルから実質的になる、［５８］〜［９１］のいずれか１に記載の組成物。